(57)【要約】【課題】昆虫に対し高い誘引効果を発揮するとともに、見通しが悪く暗い環境下でも確実に誘引剤を塗布、設置した場所を特定することができる、昆虫の誘引方法並びに昆虫の誘引剤及び餌を提供する。【解決手段】蓄光剤と昆虫の誘引物質とを併用することを特徴とする昆虫の誘引方法；蓄光剤及び昆虫の誘引物質を含有することを特徴とする昆虫の誘引剤；上記の昆虫の誘引剤を含有する昆虫の餌。【選択図】なし【特許請求の範囲】
【請求項１】
蓄光剤と昆虫の誘引物質とを併用することを特徴とする昆虫の誘引方法。
【請求項２】
蓄光剤が珪素アルミン酸塩蓄光顔料である請求項１記載の昆虫の誘引方法。
【請求項３】
蓄光剤の波長ピークが４８５〜５２５ｎｍである請求項１又は２に記載の昆虫の誘引方法。
【請求項４】
蓄光剤及び昆虫の誘引物質を含有することを特徴とする昆虫の誘引剤。
【請求項５】
蓄光剤が珪素アルミン酸塩蓄光顔料である請求項４記載の昆虫の誘引剤。
【請求項６】
蓄光剤の波長ピークが４８５〜５２５ｎｍである請求項４又は５記載の昆虫の誘引剤。
【請求項７】
蓄光剤を０．３〜５質量％含有する請求項４〜６のいずれか１項記載の昆虫の誘引剤。
【請求項８】
請求項４〜７のいずれか１項記載の昆虫の誘引剤を含有する昆虫の餌。
【発明の詳細な説明】
【技術分野】
【０００１】
本発明は昆虫の誘引方法、及びその誘引方法に用いることができる昆虫の誘引剤及び餌に関する。
【背景技術】
【０００２】
従来、小型飛翔昆虫を誘引する方法として蛍光物質を使用する方法が知られている。例えばゴルフ場のコースなど広範な場所を対象として蛍光塗料を塗布した装置を置くことが提案され（特許文献１参照。）、室内外に設置する飛翔昆虫捕獲器において蛍光シートや蓄光シートを使用することが提案されている（特許文献２参照。）。
また、ゴキブリなどの捕獲用に、誘引物質を収容した捕獲器のゴキブリ侵入口を強調するために蛍光物質を使用することが知られている（特許文献３参照。）。
これらは有害昆虫を駆除するため誘引捕獲することを目的としているが、一方趣味として昆虫を採集することも行われている。特にカブトムシ類やクワガタムシ類を採取することがよく行われている。カブトムシ類やクワガタムシ類は雑木林といわれる場所に生息しているため、見通しが悪い場所でその採取が行われる。また、カブトムシ類やクワガタムシ類は夜行性であるので、採取する時間帯が日没から明け方までという暗いときでもある。雑木林は一般に街灯がないので、暗く見通しの悪い場所で正確に昆虫の誘引剤を塗布、設置した場所を特定することはたいへん困難である。特に児童の昆虫採集においては、ゼリーなどの昆虫の誘引剤を塗布した場所が不明確になり易い。これらの対策として、赤色の懐中電灯を使用することが知られているが、十分な解決策とはなっていない。
一方、見通しのよいゴルフコースや室内外では、このような問題は生ずることはない。
さらにカブトムシ類やクワガタムシ類といった昆虫の誘引方法や誘引剤に、一層高い誘引効果が要求されている。
【０００３】
【特許文献１】特開平７−３１３０３６号公報
【特許文献２】特開２００１−３５２８８９号公報
【特許文献３】特開２００２−２７２３４２号公報
【発明の開示】
【発明が解決しようとする課題】
【０００４】
本発明の目的は、昆虫に対し高い誘引効果を発揮するとともに、見通しが悪く暗い環境下でも確実に誘引剤を塗布、設置した場所を特定することができる、昆虫の誘引方法並びに昆虫の誘引剤及び餌を提供することである。
【課題を解決するための手段】
【０００５】
本発明者は上記目的を達成するために鋭意研究を重ねた結果、昆虫を誘引するに当たり昆虫の誘引物質とともに蓄光剤を使用することによって、昆虫に対し高い誘引効果が示されるとともに暗い環境下でも昆虫の誘引物質を塗布、設置した場所を容易に特定することができることを見出し、本発明を完成させるに至った。
従って本発明は、蓄光剤と昆虫の誘引物質とを併用することを特徴とする昆虫の誘引方法である。本発明はさらに、蓄光剤及び昆虫の誘引物質を含有することを特徴とする昆虫の誘引剤である。さらに本発明は、上記昆虫の誘引剤を含有する昆虫の餌である。
本発明の好ましい実施態様において、該蓄光剤として珪素アルミン酸塩蓄光顔料が挙げられる。本発明の別の好ましい実施態様として、波長ピークが４８５〜５２５ｎｍである蓄光剤を使用する。本発明は特にカブトムシ類及びクワガタムシ類の誘引方法、誘引剤及び餌に好適である。
【発明の効果】
【０００６】
本発明の昆虫の誘引方法並びに昆虫の誘引剤及び餌によれば、昆虫の誘引物質と蓄光剤との併用により相乗効果が生じ、昆虫に対しより高い誘引効果を発揮し、野外で昆虫を効果的に捕獲することができる。本発明の昆虫の誘引方法並びに昆虫の誘引剤及び餌によれば、野外において昆虫の誘引物質を塗布、設置した場所を、見通しが悪く暗い環境下でも容易に見出すことができ、昆虫採集にたいへん有用である。
【発明を実施するための最良の形態】
【０００７】
本明細書中でいう昆虫としては、甲虫目に属するもの、例えばコガネムシ科（例、カブトムシ、カナブン類）、クワガタムシ科（例、クワガタムシ類）及びゴミムシダマシ科（例、キマワリ）など、膜翅目に属するもの、例えば細腰亜目（例、スズメバチ科、スズメバチ、アリ科、アリ類）、鱗翅目（例、タテハチョウ科、ジャノメチョウ科、チョウ類）、及び直翅目（例、カマドウマ科、カマドウマ、ゴキブリ科、チャバネゴキブリ科、ゴキブリ類）など、その他にガ類が挙げられる。また昆虫以外のものとして、ムカデ類、ナメクジ類などが挙げられる。
【０００８】
本発明で使用する蓄光剤は、太陽光や蛍光灯あるいは白熱ランプなどの光エネルギーを受けると、これらの光源が遮断されて暗闇になっても、その暗闇の中で自ら蓄積したエネルギーを可視光として発光することができるものである。本発明で該蓄光剤として従来公知のものを用いることができる。
蓄光剤として例えば自発光タイプの蓄光剤（トリチウム、プロメチウムなどの放射性元素）、硫化亜鉛蓄光タイプの蓄光剤（ＺｎＳにＣｕを添加したもの）、アルミナ蓄光タイプの蓄光剤（ストロンチウムアルミネートに希土類金属を結合させたもの）などがある。これらの中で自発光タイプのものは放射線を出すこと、及び硫化亜鉛蓄光タイプのものは輝度と発光持続時間が劣ることから、アルミナ蓄光タイプが好ましく用いられる。さらに好ましくは、耐水性に優れた珪素アルミン酸塩蓄光顔料が用いられる。
使用する蓄光剤の波長ピークとしては４８５〜５２５ｎｍが適当であり、さらに好ましくは４８５〜５００ｎｍである。
珪素アルミン酸塩蓄光顔料の市販品の例として、ＴＤＯグラフィックス株式会社製の商品名：ＴＤＯヒカリ マス粒子蓄光顔料（波長ピーク４９０ｎｍタイプ、５２０ｎｍタイプ）などがある。
【０００９】
本発明の昆虫の誘引方法では、上記蓄光剤を昆虫の誘引物質と併用する。本発明の昆虫の誘引方法において蓄光剤の使用方法として、昆虫の誘引物質そのものと一緒に蓄光剤を用いる態様の他、昆虫の誘引物質を配合した昆虫の誘引剤又は餌とともに蓄光剤を用いることができる。
蓄光剤の使用方法の更なる具体例として、(1)透明あるいは半透明の固形の昆虫の誘引剤又は餌に蓄光剤を均一に又は不均一に分散させる、(2)粉末、ペレット状、ゼリー状などの昆虫の誘引剤又は餌に蓄光剤を混ぜる、あるいはトッピングする、（3）昆虫の誘引剤や餌とは別に、蓄光剤を誘引剤や餌のごく近くに設置する、(4)誘引剤又は餌と蓄光剤とを層状に重ねて使用する、などの態様がある。ここで用いる昆虫の誘引物質、誘引物質を含んだ昆虫の誘引剤や餌は、従来公知のものでもよい。
このような昆虫の誘引方法において、蓄光剤の使用量は一般的に、昆虫の誘引剤又は餌と蓄光剤との合計質量において、蓄光剤が０．３〜５質量％を占めるのが適当である。
【００１０】
本発明はさらに、蓄光剤及び昆虫の誘引物質を含有することを特徴とする昆虫の誘引剤に向けられている。本発明の昆虫の誘引剤において、蓄光剤の含有量は誘引剤の全質量に対して０．３〜５質量％が適当である。
本発明で用いる昆虫の誘引物質としては従来知られているものでよく、例えば糖類、バニリン類、マルトール類、低級アルコール、各種香料、フレーバー類、果汁、果肉などが挙げられる。本発明ではこれらの中から少なくとも一種を選択して、蓄光剤とともに使用することができる。
本発明の昆虫の誘引方法あるいは昆虫の誘引剤には、蓄光剤及び昆虫の誘引物質に加えて、蛋白質、アミノ酸、デンプン、デンプン加水分解物、油脂、核酸、有機酸、増粘剤などを併用してもよい。
以下に各種誘引物質、及びその他の成分の具体例を挙げる。
【００１１】
糖類の例としてショ糖、ブドウ糖、果糖、麦芽糖、三温糖、黒糖、ブラウンシュガー類、デンプン加水分解物などが挙げられる。
バニリン類の例としてバニリン、バニリンアルコール、エチルバニリンなどが挙げられ、中でもバニリンが好ましい。
マルトール類の例としてマルトール、エチルマルトールなどが挙げられ、中でもエチルマルトールが好ましい。
低級アルコールの例として炭素原子数２〜４のアルコールがあり、エタノール、ブタノール、プロピルアルコールなどが挙げられ、中でもエタノールが好ましい。
フレーバー類の例としてメロンフレーバー、バナナフレーバー、アップルフレーバー、グレープフレーバーなどが挙げられる。
果汁、果肉の例としてメロン、スイカ、バナナ、パイナップル、リンゴ、ブドウ、モモ、ナシなどが挙げられる。
【００１２】
蛋白質の例として酵母、牛、ブタ、チキン、エビ、カニ、大豆などの蛋白加水分解物などが挙げられる。
アミノ酸の例としてグルタミン酸、グルタミン酸ナトリウム、グリシンなどが挙げられる。
デンプンの例として小麦デンプン、コーンスターチ、馬鈴薯デンプンなどがある。
デンプン加水分解物の例として水飴、デキストリンなどがある。
油脂の例としてラード、牛脂、乳脂、サラダ油などがある。
核酸の例としてイノシン酸、５'-リボヌクレオチドなどがある。
有機酸の例としてクエン酸、コハク酸、フマル酸、リンゴ酸などがある。
増粘剤の例として寒天、ゼラチン、マンナン、カラギーナン、キサンタンガム、グアガム、ジュランガムなどがある。
【００１３】
本発明の誘引剤は蓄光剤と昆虫の誘引物質の少なくとも一種を用い、例えば蓄光剤と昆虫の誘引物質を水に溶解又は分散させて水溶液状のものとして製造することができる。
誘引物質の中でも糖類を用いることが好ましい。本発明の誘引剤は、糖類１０〜８０質量％の範囲が適当であり、例えば糖類３０％水溶液（糖類３０：水７０）の水溶液を基本組成とすることができる。さらに、そこへ寒天末を糖類と水の合計１００質量部に対して０．２〜１質量部添加し、ゼリー状の誘引剤を作ることができる。
またフレーバー類をさらに使用することも好ましい。フレーバー類は一般的に糖類と水の合計１００質量部に対して０．２〜１質量部用いるのが適当である。
【００１４】
本発明の誘引剤には、さらにバニリン類、マルトール類及び低級アルコールから選ばれる少なくとも一種を添加することも好ましい。バニリン類の使用量は、糖類１００質量部に対して０．０３〜０．３５質量部が適当であり、好ましくは０．０５〜０．１５質量部である。マルトール類の使用量は、糖類１００質量部に対して０．０１５〜０．１７質量部が適当であり、好ましくは０．０２５〜０．１０質量部である。低級アルコールの使用量は糖類１００質量部に対して１〜１７質量部が適当であり、好ましくは３〜１０質量部である。最も効果的にはバニリン類、マルトール類及び低級アルコールを使用する。
【００１５】
本発明の昆虫の誘引剤は昆虫の餌の成分とすることができ、また、本発明の昆虫の誘引剤はそのまま昆虫の餌とすることもできる。
本発明の昆虫の誘引剤又は餌は、上述のように水溶液状の形態としたり、寒天又はその他の増粘性多糖類、ゲル化剤を使ってゼリー状の形態とすることができる。ゼリー状にする場合、先ず水と寒天を加熱し沸騰させ、そこへ蓄光剤及び糖類を加え、適当に冷却したところへその他の成分、例えばフレーバー類などを添加し混合する。その後、放冷し寒天を固まらせることによって製造することができる。
【００１６】
その他、本発明の昆虫の誘引剤又は餌の形態としては、糖蜜状、粉末状、ペレット、顆粒状などが挙げられる。
糖蜜状とするには例えば、先ず水と糖類を加熱し、蜜様の物性を呈するまで煮詰めて、冷却後、蓄光剤及びその他の成分、例えばフレーバー類などを添加し混合すればよい。
粉末状、顆粒状、ペレット状とするには、蓄光剤や糖類などをガム類、デキストリンといった賦形剤に混合、分散させておき、フレーバーなどの液体成分をその賦形剤に吸着させ、適度に乾燥させる。
乾燥させる方法としてはスプレードライ法（賦形剤と液体成分を噴霧混合しながら乾燥させる）、ドラム乾燥法（賦形剤と液体成分のスラリーをドラム上に薄く延ばして乾燥させる）、フリーズドライ法（賦形剤と液体成分の混合物を凍結下で減圧乾燥させる）などがある。用いる賦形剤の形状、及びできた乾燥物の粉砕、篩い分けなどの工程により粉末、顆粒、ペレットを供する。また、賦形剤の割合が多く、ブロッキングし難い材質（例えば、おがくず等）であれば、賦形剤を高速ミキシングしながら液体成分を滴下し、分散させるだけでよい。
【００１７】
本発明の昆虫の誘引剤又は餌の使用態様としては、昆虫の飼育箱中に置く、部屋の適当な場所に置く、野外に置く、木に塗布する、トラップの中に置くなどがある。
【実施例】
【００１８】
［実施例１〜３及び比較例１］
以下表１の組成（単位：質量部）で昆虫の誘引剤又は餌を調製した。
【００１９】
【表１】
2005312360.tif 000002
調製方法：
１．水、寒天末を加熱し、１分ほど沸騰させて加熱を止める。
２．そこへショ糖、蓄光剤を溶解する
３．その溶液を５０℃まで冷却しメロンフレーバーを添加攪拌する。
４．ミニゼリー用のプラスチックカップに１６ｇずつ分注する。
５．放冷し寒天を固まらせる。
【００２０】
［誘引試験１］
上記比較例１及び実施例１〜３で調製した各誘引剤を用いて、飼育室を用いた閉鎖系において蓄光剤の添加量による嗜好性の比較試験を行った。
３ｍ×３ｍ×２．５ｍの飼育室に腐葉土を敷き、クヌギの伐採木（約φ１５cm×１５０cm）を５本壁に固定した。クヌギの木に１６箇所の餌場を設置した。各餌場はクヌギの台木に各サンプルを容器ごと固定できるようにし、しかも直径１５cmに試験する４種のサンプルが全て入るようにした。
なお、蓄光剤のみ０．８ｇを上記の４種のサンプルの近くに置いた。
飼育室には試験昆虫として次のものを設置した。
カブトムシ            ♂×５    ♀×５
ノコギリクワガタ      ♂×５    ♀×５
コクワガタ            ♂×５    ♀×５
【００２１】
各サンプルは、光源下で光飽和状態にした後、１７：００に餌場に設置し、３時間後に赤色光のもとで見回り、各サンプルを摂取中の虫の種類、数をチェックした。また、４８時間後、餌の摂取量を比較した。餌の摂取量は水分の蒸発を考慮し、次の方法で算出した。
摂取量＝試験前サンプル質量−試験後サンプル質量−水分蒸発量
（水分蒸発量は、飼育室に摂取されない状態でコントロールサンプルをおいて、計算により求めた。）
結果を表２に示す。
【００２２】
【表２】
2005312360.tif 000003
なお、蓄光剤のみを置いたところに虫は集まらなかった。
【００２３】
［誘引試験２］
カブトムシが実際に観察された野外雑木林のクヌギの木において、上記比較例１及び実施例２で調製した誘引剤を使って誘引試験を行った。
前もってカブトムシが観察されたことがあるクヌギの木を３本選び（ポイント１〜３）、地上１．５ｍの高さに比較例１及び実施例２を塗布した。誘引剤は各ポイントに１００ｇとし、寒天を押しつぶしながら木の肌に接着させた。接着面は約２０cmの円形とし、木の幹の互いに対称な位置に両サンプルを塗布した。１７時に誘引剤を塗布して４時間後、虫を脅かさぬように赤色光で誘引剤を摂取中のカブトムシ、クワガタムシを観察した。
試験条件は次のとおりであった。
試験時期      ２００３年７月下旬
場所          神奈川県座間市の雑木林
サンプル塗布した時間    １７：００
観察時間                ２１：００
結果を表３に示す。
【００２４】
【表３】
2005312360.tif 000004
各ポイントで実施例２に明らかな誘引効果が見られた。
【００２５】
［誘引試験３］
下記表４に示す組成（単位：質量部）の実施例４の誘引剤を調製した。実施例２の誘引剤と実施例４の誘引剤をサンプルとして、誘引試験１と同様の試験方法にて試験し、発光色によって誘引効果に差があるか否かを調べた。結果を表５に示す。
【００２６】
【表４】
2005312360.tif 000005
【００２７】
【表５】
2005312360.tif 000006
上記の結果から、蓄光剤の発光が黄色よりも青色に近い波長でより顕著な誘引効果が観察された。